(57)【要約】      （修正有）【課題】汎用のレギュレーターが使用でき、フルフェイスマスクの素材が劣化した際や、レギュレーターに外部から過剰荷重が加わった際にもレギュレーターが離脱することが無い、フルフェイスマスクのレギュレーター固定方法を提供すること。【解決手段】フィルフェイスマスク１のレギュレーター取付け部１ａの内側部と、レギュレーター３本体のマウスピース管部３ａの内側部に板状部材３１を配し、該板状部材を、マウスピース管内部を連通した連結部材３３で締結してレギュレーターを固定する。【選択図】図３
2014034254.tif 000002
【特許請求の範囲】
【請求項１】
呼吸用レギュレーターをフルフェイスマスクに固定する手段として、フィルフェイスマスクのレギュレーター取付け部の内側部と、レギュレーター本体のマウスピース管部の内側部に板状部材を配し、該板状部材を、マウスピース管内部を連通した連結部材で締結することを特長としたフルフェイスマスクのレギュレーター固定方法。
【請求項２】
板状部材には呼吸用空気を通過させる開口部を設けていることを特徴とする請求項１に記載のフルフェイスマスクのレギュレーター固定方法。
【請求項３】
連結部材をマウスピース管内部の左右端２箇所に配したことを特徴とする請求項１および２に記載のフルフェイスマスクのレギュレーター固定方法。
【発明の詳細な説明】
【技術分野】
【０００１】
本発明は、潜水において着用する潜水用フルフェイスマスクおける、呼吸用レギュレーターの固定方法に関する。
【背景技術】
【０００２】
現在実用化されている潜水用フルフェイスマスクにおける呼吸用レギュレーター（以下レギュレーターという）の固定方法は、通常ではマウスピースを取り付けて口に咥えて使用するレギュレーターを固定する場合においては、マウスピースを外し、レギュレーターのマウスピース固定部をフルフェイスマスクのレギュレーター取付け部に差込み、ナイロンバンド等で締め付けて固定している。
【０００３】
しかしながら、この方式ではゴム等の軟質素材で形成されたフルフェイスマスクの該レギュレーター取付け部において、素材の経年劣化や使用時の外部からの過剰加重により根元部に亀裂が入り、最悪の場合使用中にレギュレーターがフルフェイスマスクから離脱するというきわめて重大な事故が発生するなどの問題があった。
【０００４】
また、現在実用化されている潜水用ヘルメットにレギュレーターを固定する場合は、先行技術文献のようにレギュレーターの一部を特殊な形状とし、該ヘルメット専用とすることで確実な取り付けを実現している。しかしながら、この方式では汎用の呼吸用レギュレーターが使用できないという問題があった。
【先行技術文献】
【特許文献】
【０００５】
【特許文献１】特開２００７−２１６９４９号公報（第１頁）
【発明の概要】
【発明が解決しようとする課題】
【０００６】
汎用のレギュレーターが使用でき、フルフェイスマスクの素材が劣化した際や、レギュレーターに外部から過剰荷重が加わった際にもレギュレーターが離脱することが無い、フルフェイスマスクのレギュレーター固定方法の開発が求められている。
【課題を解決するための手段】
【０００７】
本発明は、上記課題を解決するために次の構成を備える。
本発明に係るフルフェイスマスクのレギュレーター固定方法の一形態によれば、潜水時にダイバーが顔面に装着する眼部、鼻部および口部を一体に覆い、レギュレーターが装着されていてダイバーが呼吸することが出来るようにしたフルフェイスマスクにおいて、ダイバーの口部近傍にレギュレーターが固定できるように取り付け部が軟質素材にて略長円断面の円筒状に形成されている。
【０００８】
また、本発明に係るフルフェイスマスクのレギュレーター固定方法の一形態によれば、該レギュレーター取付け部はレギュレーター本体の管状に形成されたフルフェイスマスクとの連結部が挿入可能に形成されている。該管状部は通常はマウスピースを固定するための部位である（以後マウスピース管という）。
【０００９】
また、本発明に係るフルフェイスマスクのレギュレーター固定方法の一形態によれば、該レギュレーター取付け部のフルフェイスマスク内側部に接するように、板状部材が配されている。また、この板状部材には、該レギュレーター本体のマウスピース管からの呼吸用空気の流通を確保する開口部が形成されていることを特徴とする事ができる。
【００１０】
また、本発明に係るフルフェイスマスクのレギュレーター固定方法の一形態によれば、該レギュレーター本体内側部のマウスピース管に接するように、板状部材が配されている。また、この板状部材には、該レギュレーター本体の管状に形成されたマウスピース管からの呼吸用空気の流通を確保する開口部が形成されていることを特徴とする事ができる。
【００１１】
また、本発明に係るフルフェイスマスクのレギュレーター固定方法の一形態によれば、該フルフェイスマスク内部および該レギュレーター内部に配された板状部材には、これらを連通し締結する連結部材がマウスピース管内部に配され、これを締結することにより該板状部材が固定されレギュレーターがフルフェイスマスクから離脱しないように構成されていることを特徴とすることができる。
【発明の効果】
【００１２】
本発明に係るフルフェイスマスクのレギュレーター固定方法の一形態によれば、汎用のレギュレーターを少ない構成部品において確実にフルフェイスマスクに固定でき、容易には離脱することが無いという特別有利な効果を奏する。
【図面の簡単な説明】
【００１３】
【図１】本発明に係るフルフェイスマスクおよびレギュレーターの外観図である。
【図２】図１の形態例の従来技術によるレギュレーター固定部横断面図である。
【図３】図１の形態例の本発明によるレギュレーター固定部横断面図である。
【図４】図１の形態例の本発明による背面図である。
【発明を実施するための形態】
【００１４】
汎用のレギュレーターを少ない構成部品において確実にフルフェイスマスクに固定でき、容易には離脱することが無いという固定方法の手段として、フルフェイスマスクのレギュレーター取付け部の内側部と、レギュレーター本体のマウスピース管部の内側部に板状部材を配し、該板状部材を、マウスピース管内部を連通した連結部材で締結することで確実に固定することができる。
【００１５】
該マウスピース管は該フルフェイスマスクのレギュレーター取付け部に挿入される。該マウスピース管の長さは該フルフェイスマスクのレギュレーター取付け部の長さと同等以下であることが望ましい。これにより、該フルフェイスマスクのレギュレーター取付け部は該板状部材により圧縮され、防水性能が向上する。
【００１６】
該板状部材の中央部には、該マウスピース管からの呼吸用空気の流路として開口部が設けられている。また、該開口部には、該板状部材を固定するための連結部材であるネジ部材を連通あるいはネジ締結するための穴もしくはタップ穴が設けられている。連結部材はネジ部材以外にもラチェットやプッシュナット式の締結機構など様々な手法が考えられる。
【実施例１】
【００１７】
以下、本発明に係るフルフェイスマスクのレギュレーター固定方法の実施例を、添付図面に基づいて詳細に説明する。
図１はフルフェイスマスクおよびレギュレーターの外観図である。１フルフェイスマスクには４レンズが形成されている。また、３レギュレーターには５空気ホースにより通常０．７〜１MPａの空気が供給されている。３レギュレーターはこの空気を周囲圧と同等に減圧してダイバーへ呼吸動作により供給する。１フルフェイスマスクはダイバーの頭部へ２ストラップによって固定される（詳細は図示せず）。
【００１８】
図２はフルフェイスマスクとレギュレーターの従来の固定方法を示した横断面図である。３レギュレーターの３ａマウスピース管を１フルフェイスマスクの１ａレギュレーター取付け部に挿入し、２１ナイロンバンドで締め付ける。
【００１９】
図３は本発明によるフルフェイスマスクとレギュレーターの固定方法を示した横断面図である。１フルフェイスマスクの１ａレギュレーター取付け部には、３レギュレーターの３ａマウスピース管が挿入されている。
【００２０】
３１板状部材は１フルフェイスマスクの内側に配されている。また、３２板状部材は３レギュレーターの内部の３ａマウスピース管部に配されている。３１板状部材および２１板状部材にはそれぞれ３１ａ開口部および３２ａ開口部が設けられている。また、３１板状部材には３１ｂ穴が左右２箇所に設けられている。さらに３２板状部材には３２ｂタップ穴が左右２箇所に設けられている。
【００２１】
３３ネジ部材は３１ｂ穴を貫通し３２ｂタップ穴に締結される。このネジ部材は３４マウスピース管内部を貫通せしめることで、１フルフェイスマスクと３レギュレーターを強固に固定する。また、３３ネジ部材が３４マウスピース管内部の左右端部に配されることで、呼吸時の空気抵抗の増加を最小に押さえることができる。また、このように連結部材である３３ネジ部材が配されることで、３４マウスピース管内部が略長円断面の筒状に形成されているため、板状部材３１、３２が、ずれないように位置決めされて強固に固定される効果もある。
【００２２】
以上の構成により、汎用のレギュレーターを少ない構成部品において確実にフルフェイスマスクに固定でき、容易には離脱することが無いフルフェイスマスクのレギュレーター固定方法を実現できるものである。
【００２３】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２４】
１      フルフェイスマスク
１ａ    レギュレーター取付け部
２      ストラップ
３      レギュレーター
３ａ    マウスピース管
４      レンズ
５      空気ホース
２１    ナイロンバンド
３１    板状部材
３１ａ  開口部
３１ｂ  穴
３２    板状部材
３２ａ  開口部
３２ｂ  タップ穴
３３    ネジ部材
３４    マウスピース管内部
【図１】
2014034254.tif 000003
【図２】
2014034254.tif 000004
【図３】
2014034254.tif 000005
【図４】
2014034254.tif 000006